(57)【要約】【課題】画面最外周上下歪、画面中間部上下歪、コンバーゼンスの画像品位向上を実現できる偏向ヨークを提供することを目的とする。【解決手段】垂直偏向コイル４の開口側ベンドアップ８附近に上下一対（画面Ｖ軸上）のマグネット１を配置し、水平偏向コイル３の開口側ベンドアップ７附近に上下一対（画面Ｖ軸上）のマグネット２を配置する。画面中間部上下歪は主にマグネット１で調整し、画面最外周上下歪は主にマグネット２で調整する。またマグネット１とマグネット２の形状寸法を操作することにより、歪とコンバーゼンスの最適解を得ることを可能とする。【選択図】  図１
2004342543.tif 000002
【特許請求の範囲】
【請求項１】
水平偏向コイル、垂直偏向コイル、フェライトコアを絶縁枠に保持固定する偏向ヨークであって、画面Ｖ軸上に最外周および中間部の上下歪とコンバーゼンスを補正する２対のマグネットを設けたことを特徴とする偏向ヨーク。
【請求項２】
前記１対のマグネットが、垂直偏向コイル開口部側ベンドアップ付近に配置されることを特徴とする請求項１記載の偏向ヨーク。
【請求項３】
前記マグネットは、直方体形状であることを特徴とする請求項２記載の偏向ヨーク。
【請求項４】
前記マグネットは、永久磁石であることを特徴とする請求項２記載の偏向ヨーク。
【発明の詳細な説明】
【０００１】
【発明の属する技術分野】
本発明は、テレビジョン受像機等の陰極線管に設置する偏向ヨークに関するものである。
【０００２】
【従来の技術】
従来の水平偏向コイル、垂直偏向コイル、フェライトコアとそれらを保持固定する絶縁枠を有する偏向ヨークについて説明する。図６は、従来の偏向ヨークのマグネット配置を示す断面図、図７は従来の偏向ヨークのマグネット配置を示す構成図である。また、図３は、従来のブラウン管の画面上に映し出されるラスター歪を示す図である。
【０００３】
従来の偏向ヨークにおいては、水平偏向コイル３と垂直偏向コイル４の開口部側磁界分布調整だけでは、吸収することのできない画面最外周上下歪９の補正の為に、水平偏向コイル３の開口側ベンドアップ７附近にマグネット２を配置し、更に画面中間部の上下歪１０及びコンバーゼンスの調整は、水平偏向コイル３、垂直偏向コイル４のネック部から中間部にかけての磁界分布で調整を行なっていた。５はフェライトコア、６は絶縁枠である（例えば特許文献１参照）。
【０００４】
【特許文献１】
特開昭６３−２８９７４８号公報
【０００５】
【発明が解決しようとする課題】
従来の偏向ヨークにおいては、水平偏向コイル３の開口部側ベンドアップ７付近に配置されるマグネット２の補正量を上げれば、画面最外周上下歪９の補正を大きくすることができ、水平偏向コイル３、垂直偏向コイル４の開口部側磁界分布への裕度が大きくなるものの、ネック部から開口部にかけてのトータル磁界強度を合せこむ必要があるため、ネック部から中間部にかけての磁界分布構成に無理が生じ、結果的に、画面最外周上下歪９と画面中間部上下歪１０、コンバーゼンスの特性が画像品位的に満足し得る両立解を得ることができなかった。
【０００６】
本発明は、上記課題を解決するもので、画面最外周上下歪と画面中間部上下歪、コンバーゼンスの画像品位向上を実現できる偏向ヨークを提供することを目的とする。
【０００７】
【課題解決をするための手段】
上記課題を解決するために本発明は、水平偏向コイル、垂直偏向コイル、フェライトコアを絶縁枠に保持固定する偏向ヨークであって、画面Ｖ軸上に最外周および中間部の上下歪とコンバーゼンスを補正する２対のマグネットを設けたものである。
【０００８】
本発明によれば、画面最外周上下歪と画面中間部上下歪、コンバーゼンスの画像品位向上を実現できる偏向ヨークを提供することができる。
【０００９】
【発明の実施の形態】
請求項１の発明は、水平偏向コイル、垂直偏向コイル、フェライトコアを絶縁枠に保持固定する偏向ヨークであって、画面Ｖ軸上に最外周および中間部の上下歪とコンバーゼンスを補正する２対のマグネットを設けたものであり、これにより画面最外周上下歪、画面中間部上下歪、コンバーゼンスの画像品位向上を図ることができる。
【００１０】
請求項２の発明は、前記１対のマグネットが、垂直偏向コイル開口部側ベンドアップ付近に配置されるものであり、これにより画面最外周の上下歪、画面中間部の上下歪、コンバーゼンスの全てに作用する。
【００１１】
請求項３の発明は、前記マグネットは、直方体形状であり、これによりコスト的に有利になる。
【００１２】
請求項４の発明は、前記マグネットが永久磁石であり、これにより垂直偏向回路を利用した電磁石形式とは異なり、偏向パワーの損失が全く無い。
【００１３】
以下、本発明の実施の形態について、図面を参照して説明する。図１は本発明の一実施の形態における偏向ヨークのマグネット配置を示す断面図、図２は本発明の一実施の形態における偏向ヨークのマグネット配置を示す構成図、図３は本発明の一実施の形態におけるブラウン管の画面上に映し出されるラスター歪を示す図、図４は本発明の一実施の形態におけるマグネットの大きさが変化した場合のラスター歪の変化を示す図、図５は本発明の一実施の形態における画面最外周コンバーゼンス横線の正クロス化を示す図である。
【００１４】
図１、図２において、偏向ヨークは水平偏向コイル３、垂直偏向コイル４、フェライトコア５とそれらを保持固定する絶縁枠６を有しており、また画面Ｖ軸上に最外周および中間部の上下歪とコンバーゼンスを補正する２対のマグネット１、２を設けている。
【００１５】
この２対のマグネット１、２のうち、１対のマグネット１は、水平偏向コイル３のネック端から開口側へ６０ｍｍ程度変移した場所、つまり垂直偏向コイル４の開口部側ベンドアップ８付近に配置されている。この１対のマグネット１で、主に画面中間部上下歪１０（図３）の補正とコンバーゼンスの調整を行う。マグネット１は、例えば縦５ｍｍ、横６ｍｍ、長さ６４ｍｍ程度の大きさの永久磁石であり、直方体形状をしている。さらに、他の１対のマグネット２が、水平偏向コイル３のネック端から開口側へ７５ｍｍ程度変移した場所である水平偏向コイル３の開口部側ベンドアップ７付近に配置されている。このマグネット２で、主に画面最外周上下歪９（図３）の補正を行う。マグネット２は、例えば縦４ｍｍ、横５ｍｍ、長さ４２ｍｍ程度の大きさの永久磁石で直方体形状をしているものが用いられる。
【００１６】
マグネット１、２の着磁方向は、図２において右がＮ極、左がＳ極である。これらのマグネット１、２は、形状が大きくなるほど、例えば、マグネット１の場合、図４に示すように画面中間部上下歪１０が主にバレル歪方向に変化し、マグネット２の場合、画面最外周上下歪９が主にバレル方向に変化する。
【００１７】
ここで、マグネット１とマグネット２の形状寸法を操作することにより、歪とコンバーゼンスの最適解を得ることを可能にする。例えば、図３に示すように、大画面平面ブラウン管と従来の偏向ヨークの組合せで起こる上下ピン歪９の補正と画面最外周コンバーゼンス横線の補正を同時に行なう場合、マグネット１とマグネット２の合成磁界で画面最外周上下歪９の補正を行い、その中で、マグネット１の形状が大きく、マグネット２の形状を小さくした場合は、マグネット２のみで画面最外周上下歪９を補正した場合に比べ、図５に示すように画面最外周コンバーゼンス横線の正クロス化１１、１２のパターンを強調することが可能である。
【００１８】
なお、マグネット１、２の寸法を例示したが、これらの寸法は、使用するブラウン管のサイズや偏向ヨーク形式の組合せによって、上下歪やコンバーゼンスが一義的に決まるものではないため、これらの寸法に限定するものではない。
【００１９】
【発明の効果】
以上のように本発明によれば、画面最外周の上下歪、画面中間部の上下歪、コンバーゼンスの画像品位向上を実現できる。
【図面の簡単な説明】
【図１】本発明の一実施の形態における偏向ヨークのマグネット配置を示す断面図
【図２】本発明の一実施の形態における偏向ヨークのマグネット配置を示す構成図
【図３】本発明の一実施の形態および従来のブラウン管の画面上に映し出されるラスター歪を示す図
【図４】本発明の一実施の形態におけるマグネットの大きさが変化した場合のラスター歪の変化を示す図
【図５】本発明の一実施の形態における画面最外周コンバーゼンス横線の正クロス化を示す図
【図６】従来の偏向ヨークのマグネット配置を示す断面図
【図７】従来の偏向ヨークのマグネット配置を示す構成図
【符号の説明】
１  マグネット
２  マグネット
３  水平偏向コイル
４  垂直偏向コイル
５  フェライトコア
６  絶縁枠
【図１】
2004342543.tif 000003
【図２】
2004342543.tif 000004
【図３】
2004342543.tif 000005
【図４】
2004342543.tif 000006
【図５】
2004342543.tif 000007
【図６】
2004342543.tif 000008
【図７】
2004342543.tif 000009